(57)【要約】【課題】放送中の番組に対する視聴制限の設定やその番組を放送しているチャンネルの選択制限を短時間でしかも容易に行い得る受信装置を提供する。【解決手段】放送信号Ｓｂを受信するチューナ１２と、チューナ１２に受信させる放送信号Ｓｂのチャンネルの切替えを制御する制御部２４とを備え、制御部２４は、チャンネルの切替え後に所定の操作が行われたときに、チャンネルの切替えの直前に選択されていたチャンネルで放送されていた番組を視聴制限の対象に設定する視聴制限設定処理を実行する。【選択図】図１
2007251732.tif 000002
【特許請求の範囲】
【請求項１】
放送信号を受信する受信部と、前記受信部に受信させる前記放送信号のチャンネルの切替えを制御する制御部とを備え、
前記制御部は、前記チャンネルの切替え後に所定の操作が行われたときに、前記チャンネルの切替えの直前に選択されていたチャンネルで放送されていた番組を視聴制限の対象に設定する視聴制限設定処理を実行する受信装置。
【請求項２】
前記制御部は、前記所定の操作として所定の操作キーが操作されたときに前記視聴制限設定処理を実行する請求項１記載の受信装置。
【請求項３】
前記制御部は、前記視聴制限設定処理において前記直前に放送されていた番組に付与されているレイティングレベル以上のレイティングレベルが付与された番組を前記視聴制限対象に設定する請求項１または２記載の受信装置。
【請求項４】
放送信号を受信する受信部と、前記受信部に受信させる前記放送信号のチャンネルの切替えを制御する制御部とを備え、
前記制御部は、前記チャンネルの切替え後に所定の操作が行われたときに、前記チャンネルの切替えの直前に選択されていたチャンネルを選択制限の対象に設定する選択制限設定処理を実行する受信装置。
【請求項５】
前記制御部は、前記所定の操作として所定の操作キーが操作されたときに前記選択制限設定処理を実行する請求項４記載の受信装置。
【請求項６】
前記制御部は、チャンネルアップキーまたはチャンネルダウンキーが操作されたときに、前記受信部に対して、前記選択制限対象のチャンネルを飛び越して他のチャンネルの放送信号を受信させる請求項４または５記載の受信装置。
【請求項７】
請求項１から６のいずれかに記載の受信装置と、前記受信装置によって受信された前記放送信号に基づく映像を表示する表示部とを備えているテレビ。
【発明の詳細な説明】
【技術分野】
【０００１】
本発明は、放送信号を受信する受信部を備えた受信装置およびその受信装置を備えたテレビに関するものである。
【背景技術】
【０００２】
この種のテレビとして、特開平１１−１６４２２１号公報に開示されたテレビ放送受信機が知られている。このテレビ放送受信機は、所定の条件に該当する番組の視聴を制限可能に構成されている。また、このテレビ放送受信機は、各種の設定画面から各種の設定値を入力（選択）することによって視聴を制限する番組の条件を設定可能に構成されている。このため、子供に視聴させるのが不適切な番組の時間帯やチャンネルが予め判っているときには、これらに基づいて条件を設定することにより、その番組の視聴を制限することが可能となる。
【特許文献１】特開平１１−１６４２２１号公報（第３−４頁、第２−９図）
【発明の開示】
【発明が解決しようとする課題】
【０００３】
ところが、従来のテレビ放送受信機には、以下の問題点がある。すなわち、このテレビ放送受信機では、数多くの設定画面から各種の設定値を入力することによって視聴を制限する番組の条件を予め設定する必要がある。このため、設定操作が煩雑であり、かつ設定に長時間を要するという問題点が存在する。一方、上記したような条件（時間帯やチャンネル）に該当していない番組の中にも、子供に視聴させるのが不適切な番組が存在し得る。このような番組が家族でのテレビの視聴中に放送されたときには、新たにその番組の視聴を制限するための条件を追加する必要があるが、上記したように、視聴制限のための設定操作は、煩雑でかつ長時間を要する。このため、このような場合には、一般的に、他のチャンネルにチャンネル切替えを行うことで、子供による不適切な番組の視聴をひとまず回避する方法が採られる。しかしながら、この方法では、誤って元のチャンネルにチャンネル切替えを行うだけでその番組の視聴が可能となるため、子供による不適切な番組の視聴を確実に回避するのは困難である。
【０００４】
本発明は、かかる問題点に鑑みてなされたものであり、放送中の番組に対する視聴制限の設定やその番組を放送しているチャンネルの選択制限を短時間でしかも容易に行い得る受信装置およびテレビを提供することを主目的とする。
【課題を解決するための手段】
【０００５】
上記目的を達成すべく本発明に係る受信装置は、放送信号を受信する受信部と、前記受信部に受信させる前記放送信号のチャンネルの切替えを制御する制御部とを備え、前記制御部は、前記チャンネルの切替え後に所定の操作が行われたときに、前記チャンネルの切替えの直前に選択されていたチャンネルで放送されていた番組を視聴制限の対象に設定する視聴制限設定処理を実行する。
【０００６】
この受信装置によれば、チャンネルの切替え後に所定の操作が行われたときに、制御部が視聴制限設定処理を実行することにより、所定の操作を行うだけでチャンネル切替えの直前のチャンネルで放送されていた番組を視聴制限対象に設定することができる。このため、設定画面から各種の設定値を入力する構成と比較して、番組を特定するための条件を入力する煩雑な操作を不要とすることができるため、その分、短時間でしかも容易に視聴制限の設定を行うことができる。したがって、例えば、家族で番組を視聴しているときに子供に対して不適切な番組の放送が開始されたとしても、チャンネルを切り替えて所定の操作を行うだけで、子供によるその不適切な番組の視聴を確実に回避することができる。
【０００７】
また、本発明に係る受信装置は、上記の受信装置において、前記制御部は、前記所定の操作として所定の操作キーが操作されたときに前記視聴制限設定処理を実行する。
【０００８】
この受信装置によれば、所定の操作キーが操作されたときに制御部が視聴制限設定処理を実行することにより、操作キーを操作する１つの動作（ワンアクション）で視聴制限対象の設定を行うことができるため、一層短時間でしかも一層容易に視聴制限の設定を行うことができる。
【０００９】
また、本発明に係る受信装置は、上記の受信装置において、前記制御部は、前記視聴制限設定処理において前記直前に放送されていた番組に付与されているレイティングレベル以上のレイティングレベルが付与された番組を前記視聴制限対象に設定する。
【００１０】
この受信装置によれば、制御部が、チャンネルの切替えの直前に放送されていた番組に付与されているレイティングレベル以上のレイティングレベルが付与された番組を視聴制限対象に設定することにより、例えば、子供に対して不適切であると思われる他の番組に対して個別に設定操作を行うことなく、これらの番組についても迅速かつ容易に視聴制限対象に設定することができる。
【００１１】
また、本発明に係る受信装置は、放送信号を受信する受信部と、前記受信部に受信させる前記放送信号のチャンネルの切替えを制御する制御部とを備え、前記制御部は、前記チャンネルの切替え後に所定の操作が行われたときに、前記チャンネルの切替えの直前に選択されていたチャンネルを選択制限の対象に設定する選択制限設定処理を実行する。
【００１２】
この受信装置によれば、チャンネルの切替え後に所定の操作が行われたときに、制御部が選択制限設定処理を実行することにより、所定の操作を行うだけでチャンネル切替えの直前のチャンネルを、その選択自体が制限される選択制限対象に設定することができる。このため、例えば、設定画面から各種の設定値を入力する構成と比較して、チャンネルを指定するための条件を入力する煩雑な操作を不要とすることができるため、その分、短時間でしかも容易に選択制限の設定を行うことができる。したがって、例えば、家族で番組を視聴しているときに子供に対して不適切な番組の放送が開始したとしても、チャンネルを切り替えて所定の操作を行うだけで、子供によるその不適切な番組の視聴を確実に回避することができる。
【００１３】
また、本発明に係る受信装置は、上記の受信装置において、前記制御部は、前記所定の操作として所定の操作キーが操作されたときに前記選択制限設定処理を実行する。
【００１４】
この受信装置によれば、所定の操作キーが操作されたときに制御部が選択制限設定処理を実行することにより、操作キーを操作する１つの動作（ワンアクション）で視聴制限対象の設定を行うことができるため、一層短時間でしかも一層容易に視聴制限の設定を行うことができる。
【００１５】
また、本発明に係る受信装置は、上記の受信装置において、前記制御部は、チャンネルアップキーまたはチャンネルダウンキーが操作されたときに、前記受信部に対して、前記選択制限対象のチャンネルを飛び越して他のチャンネルの放送信号を受信させる。
【００１６】
この受信装置によれば、チャンネルアップキーまたはチャンネルダウンキーが操作されたときに、制御部が選択制限対象のチャンネルを飛び越して他のチャンネルの放送信号を受信させることにより、例えば、選択制限対象に設定されているチャンネルを選択しようとしたとしても、そのチャンネルを飛び越えて選択可能な他のチャンネルを自動的に選択させることができる。このため、例えば、選択制限対象に設定されているチャンネルを選択したときに、非表示状態となったり、選択制限対象である旨のメッセージが表示されたりして、それらを解消するために別の操作を要求して選択可能な他のチャンネルを選択させる構成と比較して、操作性を向上させることができる。
【００１７】
また、本発明に係るテレビは、上記の受信装置と、前記受信装置によって受信された前記放送信号に基づく映像を表示する表示部とを備えている。
【００１８】
このテレビによれば、上記の受信装置を備えたことにより、上記の受信装置が有する効果と同様の効果を実現することがでる。
【発明を実施するための最良の形態】
【００１９】
以下、本発明に係る受信装置およびテレビの最良の形態について、添付図面を参照して説明する。図１に示すプロジェクションテレビ（以下、単に「テレビ」ともいう）１は、本発明に係るテレビの一例であって、同図に示すように、本体部２およびリモコン３を備えて構成されている。本体部２は、選局処理部１１、チューナ１２、プリセット情報保存部１３、映像音声処理部１４、映像出力部１５、表示部１６、音声出力部１７、スピーカ１８、選局・番組情報保存部１９、制限情報保存部２０、暗証番号保存部２１、受光部２２、キー入力処理部２３および制御部２４を備えている。この場合、選局処理部１１、チューナ１２、プリセット情報保存部１３、映像音声処理部１４、選局・番組情報保存部１９、制限情報保存部２０、暗証番号保存部２１、受光部２２、キー入力処理部２３および制御部２４によって本発明に係る受信装置が構成される。
【００２０】
選局処理部１１は、制御部２４と共に本発明における制御部を構成して制御部２４の制御に従い、チューナ１２に受信させる放送信号Ｓｂのチャンネルの切替えを制御する。チューナ１２は、本発明における受信部に相当し、一例として、１１０度ＣＳデジタル放送における各チャンネルの放送信号Ｓｂの中から選局処理部１１によって指定されたチャンネルの放送信号Ｓｂを受信して映像音声処理部１４に出力する。また、チューナ１２は、１１０度ＣＳデジタル放送の放送波からＥＰＧ（Electronic Program Guide：電子番組ガイド）を表示するためのＥＰＧデータＤｅを抽出して、選局処理部１１を介して制御部２４に出力する。
【００２１】
プリセット情報保存部１３は、リモコン３の各ダイレクトチャンネル選択キー３２（図２参照）と各ダイレクトチャンネル選択キー３２に割り当てられるチャンネル（チャンネル番号）とを対応付けた対応付けデータを記憶する。映像音声処理部１４は、制御部２４の制御に従い、チューナ１２から出力された放送信号Ｓｂに基づく映像信号Ｓｐ１および音声信号Ｓｓ１を映像出力部１５および音声出力部１７にそれぞれ出力する。映像出力部１５は、制御部２４の制御に従い、映像音声処理部１４から出力された映像信号Ｓｐ１を映像表示用の映像信号Ｓｐ２に変換して表示部１６に出力する。また、映像出力部１５は、制御部２４の制御に従い、後述する視聴制限通知画面Ｐｒ１（図７参照）および選択制限通知画面Ｐｒ２（図１１参照）を表示させるための映像信号Ｓｐ２を図外のメモリに記憶されている映像データに基づいて生成して表示部１６に出力する。表示部１６は、一例として、光学エンジンおよびスクリーンパネル（いずれも図示せず）を備えて構成され、映像出力部１５からの映像信号Ｓｐ２に基づいて光変調した投射光をスクリーンパネルに背面側から投射することにより、各種映像を表示する。
【００２２】
音声出力部１７は、映像音声処理部１４から出力された音声信号Ｓｓ１を増幅して音声信号Ｓｓ２をスピーカ１８に出力する。スピーカ１８は、音声出力部１７から出力された音声信号Ｓｓ２に基づく音声を出力する。なお、本明細書における「音声」には、人の声のみならず、鳥の鳴き声、風の音および音楽等の各種の「音」が含まれる。選局・番組情報保存部１９は、制御部２４の制御に従い、電源切断の直前、およびチャンネル切替えの直前に選択されていたチャンネルを示すチャンネルデータＤｃ、およびそのチャンネルで放送されていた番組に関する各種の情報を示す番組データＤｂを記憶する。制限情報保存部２０は、制御部２４の制御に従い、制御部２４によって実行される視聴制限処理５０（図５参照）において用いられるレイティングレベルデータＤｒを記憶する。ここで、レイティングレベルデータＤｒは、番組が年少者に適したものであるか否かを視聴対象者の最低年齢（一般的に、数値が大きいほど年少者には不適切であることを示している）で表したレイティングレベルを示すデータであって、ＥＰＧデータＤｅに基づいて制御部２４によって生成される。また、制限情報保存部２０は、制御部２４によって実行されるチャンネルスキップ処理７０（図９参照）において用いられるスキップチャンネルデータＤｓを記憶する。暗証番号保存部２１は、視聴制限設定処理４０において設定された視聴制限を解除するための暗証番号についての暗証番号データＤｎを記憶する。受光部２２は、リモコン３から出力される赤外線信号Ｓｉを受光して操作信号Ｓｏを出力する。キー入力処理部２３は、受光部２２から出力された操作信号Ｓｏに対応する制御信号Ｓｃを制御部２４に出力する。
【００２３】
制御部２４は、キー入力処理部２３から出力された制御信号Ｓｃ、つまりリモコン３における各操作キーの操作に従い、選局処理部１１、映像音声処理部１４、映像出力部１５および音声出力部１７等を制御する。また、制御部２４は、リモコン３における所定の操作キーの操作に従い、図４に示す視聴制限設定処理４０、図５に示す視聴制限処理５０、図８に示す選択制限設定処理６０、および図９に示すチャンネルスキップ処理７０を実行する。
【００２４】
リモコン３は、図２に示すように、本体部２とは別体に形成されている。また、リモコン３は、電源キー３１、１２個のダイレクトチャンネル選択キー３２、チャンネルアップキー３３ａ、チャンネルダウンキー３３ｂ、視聴制限設定キー３４および選択制限設定キー３５などの各種操作キーが配列されて構成され、これらの操作キーが操作されたときに、各操作キーに対応する赤外線信号Ｓｉを出力（送信）する。
【００２５】
次に、テレビ１の全体的な動作について、図面を参照して説明する。なお、テレビ１は、初期状態において、番組の視聴を制限する視聴制限が「無効」に設定されているものとする。また、暗証番号保存部２１には、暗証番号データＤｎが既に登録（記憶）されているものとする。また、このテレビ１では、制御部２４が、電源切断およびチャンネル切替えが行われる度に、その直前において選択されていたチャンネルについての上記したチャンネルデータＤｃ、およびそのチャンネルで放送されていた番組についての番組データＤｂを選局・番組情報保存部１９に記憶させる。したがって、選局・番組情報保存部１９には、電源切断の直前に選択されていた例えば１１０チャンネルのチャンネルデータＤｃおよび番組データＤｂが記憶されているものとする。
【００２６】
このテレビ１では、リモコン３の電源キー３１が操作されたときに、リモコン３が電源キー３１に対応する赤外線信号Ｓｉを出力し、受光部２２が、赤外線信号Ｓｉを受光して操作信号Ｓｏを出力する。次いで、キー入力処理部２３がその操作信号Ｓｏ、つまり電源キー３１に対応する制御信号Ｓｃを制御部２４に出力する。これに応じて、制御部２４は、図外の電源部を制御してテレビ１の各部に電源を供給させる。次いで、制御部２４は、選局・番組情報保存部１９からチャンネルデータＤｃを読み出して、電源切断の直前に選択されていたチャンネル（この例では、１１０チャンネル）をチャンネルデータＤｃに基づいて特定する。続いて、制御部２４は、選局処理部１１を制御することにより、その１１０チャンネルの放送信号Ｓｂをチューナ１２に抽出させる。また、制御部２４は、選局処理部１１を制御することにより、ＥＰＧデータＤｅをチューナ１２に抽出させる。
【００２７】
次いで、映像音声処理部１４が、チューナ１２から出力された放送信号Ｓｂに基づく映像信号Ｓｐ１および音声信号Ｓｓ１を映像出力部１５および音声出力部１７にそれぞれ出力する。続いて、映像出力部１５が、映像信号Ｓｐ１を映像表示用の映像信号Ｓｐ２に変換して表示部１６に出力する。次いで、表示部１６の光学エンジンが映像信号Ｓｐ２に基づいて光変調した投射光をスクリーンパネルに投射する。また、音声出力部１７が、映像音声処理部１４から出力された音声信号Ｓｓ１を増幅して音声信号Ｓｓ２をスピーカ１８に出力する。これにより、１１０チャンネルのテレビ映像Ｐｔ（図２参照）が表示部１６に表示されると共に、１１０チャンネルの音声がスピーカ１８から出力される。
【００２８】
ここで、１１０チャンネルの番組を家族で視聴している際に、１１０チャンネルにおいて子供に対して不適切な番組（以下、この種の番組を「成人向け番組」ともいう）の放送が開始されたときには（図３参照）、他のチャンネルへのチャンネル切替えを行って子供による視聴をひとまず回避するために、例えばリモコン３のチャンネルアップキー３３ａを操作する。この際に、リモコン３がチャンネルアップキー３３ａに対応する赤外線信号Ｓｉを出力し、キー入力処理部２３がチャンネルアップキー３３ａに対応する制御信号Ｓｃを出力する。これに応じて、制御部２４は、チャンネル切替え処理を実行する。具体的には、制御部２４は、選局処理部１１を制御することによって１１０チャンネルに代えて１１１チャンネルの放送信号Ｓｂをチューナ１２に抽出させる。次いで、映像音声処理部１４、映像出力部１５、表示部１６、音声出力部１７およびスピーカ１８が上記したように動作することにより、図３に示すように、１１０チャンネルのテレビ映像Ｐｔに代えて、１１１チャンネルのテレビ映像Ｐｔが表示されると共に、１１０チャンネルの音声に代えて、１１１チャンネルの音声が出力される。
【００２９】
また、制御部２４は、チャンネル切替直前（チャンネルアップキー３３ａの操作直前）に選択されていた１１０チャンネルを示すチャンネルデータＤｃを生成して選局・番組情報保存部１９に記憶させる。また、制御部２４は、チューナ１２から出力されるＥＰＧデータＤｅに基づき、チャンネル切替直前に１１０チャンネルで放送されていた成人向け番組に付与されているレイティングレベルを含むその番組に関する情報を示す番組データＤｂを生成して選局・番組情報保存部１９に記憶させる。
【００３０】
次に、１１０チャンネルで放送されていた上記の成人向け番組を視聴制限の対象とする際には、リモコン３の視聴制限設定キー３４（本発明における所定の操作キー）を操作する（本発明における所定の操作）。この際に、キー入力処理部２３が視聴制限設定キー３４に対応する制御信号Ｓｃを出力し、これに応じて、制御部２４が、図４に示す視聴制限設定処理４０を実行する。この視聴制限設定処理４０では、制御部２４は、選局・番組情報保存部１９から番組データＤｂを読み出す（ステップ４１）。次いで、制御部２４は、番組データＤｂに含まれるレイティングレベルを抽出すると共に、そのレイティングレベルについてのレイティングレベルデータＤｒを生成して制限情報保存部２０に保存する（ステップ４２）。続いて、制御部２４は、視聴制限を「有効」に設定して（ステップ４３）、視聴制限設定処理４０を終了する。これにより、チャンネル切替えの直前に選択していた１１０チャンネルで放送されていた上記の成人向け番組が視聴制限対象に設定される。この場合、このテレビ１では、視聴制限設定キー３４を操作するだけでチャンネル切替えの直前のチャンネルで放送されていた番組を視聴制限対象に設定することができる。このため、設定画面から各種の設定値を入力する構成と比較して、短時間でしかも容易に設定を行うことができる。
【００３１】
次に、例えば、上記の成人向け番組が既に終了したと想定して、図６に示すように、１１１チャンネルから１１０チャンネルへの切替えを行うためにチャンネルダウンキー３３ｂを操作したときには、制御部２４が、キー入力処理部２３から出力されたチャンネルダウンキー３３ｂに対応する制御信号Ｓｃに従い、上記したチャンネル切替え処理を実行する。この場合、制御部２４は、視聴制限設定処理４０において視聴制限を「有効」に設定しているため、チャンネル切替え処理に先立ち、図５に示す視聴制限処理５０を実行する。
【００３２】
この視聴制限処理５０では、制御部２４は、チャンネルダウンキー３３ｂの操作に対応するチャンネル（この場合、操作直前に選択されていた１１１チャンネルよりもチャンネル番号の１つ小さい１１０チャンネル）で現在放送されている番組に付与されているレイティングレベルをチューナ１２から出力されたＥＰＧデータＤｅに基づいて特定する（ステップ５１）。次いで、制御部２４は、制限情報保存部２０からレイティングレベルデータＤｒを読み出す（ステップ５２）。続いて、制御部２４は、１１０チャンネルで現在放送されている番組に付与されているレイティングレベル（以下、このレイティングレベルを「比較対象レイティングレベル」ともいう）がレイティングレベルデータＤｒによって示されるレイティングレベル（以下、このレイティングレベルを「比較用レイティングレベル」ともいう）以上であるか否かを判別する（ステップ５３）。この場合、例えば、１１０チャンネルにおいて上記の成人向け番組の放送が終了して、現在放送されている番組の比較対象レイティングレベルが比較用レイティングレベルよりも低いときには、制御部２４は、上記したチャンネル切替え処理を実行して（ステップ５４）、視聴制限処理５０を終了する。これにより、図６に示すように、１１１チャンネルのテレビ映像Ｐｔに代えて、１１０チャンネルのテレビ映像Ｐｔが表示されると共に、１１１チャンネルの音声に代えて、１１０チャンネルの音声が出力される。
【００３３】
一方、１１０チャンネルにおいて上記の成人向け番組の放送が継続してるときには、比較対象レイティングレベルと比較用レイティングレベルとが同じ値であるため、制御部２４は、上記した視聴制限処理５０のステップ５３において、比較対象レイティングレベルが比較用レイティングレベル以上であると判別する。この際には、制御部２４は、映像出力部１５を制御して、視聴制限通知画面Ｐｒ１を表示させるための映像信号Ｓｐ２を出力させる。次いで、表示部１６が上記したように動作することにより、図７示すように、１１１チャンネルのテレビ映像Ｐｔに代えて、視聴制限対象である旨を通知する視聴制限通知画面Ｐｒ１が表示される（ステップ５５）。これにより、上記した成人向け番組の視聴が制限される。
【００３４】
この場合、視聴制限を解除するときには、リモコン３のダイレクトチャンネル選択キー３２を数字キーとして用いて暗証番号を入力する。この際に、制御部２４は、暗証番号保存部２１に保存されている暗証番号データＤｎによって示される登録済みの暗証番号と、入力した暗証番号とを比較して、両者が一致したときには、視聴制限を解除して上記したチャンネル切替え処理を実行した後に、視聴制限処理５０を終了する。これにより、１１０チャンネルで放送中の番組のテレビ映像Ｐｔが表示される。
【００３５】
以後、制御部２４は、視聴制限を有効に設定している状態において、リモコン３のダイレクトチャンネル選択キー３２、チャンネルアップキー３３ａおよびチャンネルダウンキー３３ｂの操作に応じて、上記した視聴制限処理５０を実行することにより、比較対象レイティングレベルが比較用レイティングレベル以上の番組の視聴を制限する。また、制御部２４は、選択されているチャンネルにおいて放送されている番組が新たに開始される（番組が切り替わる）ときにも視聴制限処理５０を実行する。つまり、制御部２４は、比較用レイティングレベル以上のレイティングレベルが付与された全ての番組を視聴制限対象として視聴制限処理５０を実行する。
【００３６】
一方、このテレビ１では、例えば、上記した成人向け番組が放送されていたチャンネル（上記の例では１１０チャンネル）の選択（そのチャンネルへの切替え）自体を制限することも可能となっている。この場合、上記の例において、成人向け番組が放送されていた１１０チャンネルから１１１チャンネルに切替えをした後に、リモコン３の選択制限設定キー３５（本発明における所定の操作キー）を操作する（本発明における所定の操作）。この際に、制御部２４がキー入力処理部２３から出力された選択制限設定キー３５に対応する制御信号Ｓｃに従い、図８に示す選択制限設定処理６０を実行する。
【００３７】
この選択制限設定処理６０では、制御部２４は、選局・番組情報保存部１９からチャンネルデータＤｃを読み出す（ステップ６１）。次いで、制御部２４は、読み出したチャンネルデータＤｃをスキップチャンネルデータＤｓとして制限情報保存部２０に保存する（ステップ６２）。続いて、制御部２４は、選択制限を「有効」に設定して（ステップ６３）、選択制限設定処理６０を終了する。これにより、チャンネル切替えの直前に選択していた１１０チャンネルが選択制限対象に設定される。この場合、このテレビ１では、選択制限設定キー３５を操作するだけでチャンネル切替えの直前のチャンネルの選択自体を制限することができる。このため、視聴制限をするための各種の設定値を番組毎に設定画面から入力することなく、成人向け番組の視聴の制限を短時間でしかも容易に行うことができる。
【００３８】
次に、選択制限が「有効」な状態に設定された状態で１１１チャンネルの番組を視聴している際に、例えばチャンネルアップキー３３ａを操作したときには、制御部２４が、キー入力処理部２３から出力されたチャンネルアップキー３３ａに対応する制御信号Ｓｃに従い、図９に示すチャンネルスキップ処理７０を実行する。このチャンネルスキップ処理７０では、制御部２４は、チャンネルアップキー３３ａの操作直前に選択されていたチャンネル（この場合、１１１チャンネル）についてのチャンネルデータＤｃ、およびそのチャンネルで放送されていた番組についての番組データＤｂを選局・番組情報保存部１９に保存する（ステップ７１）。次いで、制御部２４は、チャンネルアップキー３３ａの操作によって指定された次のチャンネル（例えば、１１１チャンネルよりもチャンネル番号が１つ大きい１１２チャンネル）を特定し（ステップ７２）、そのチャンネルに対応するスキップチャンネルデータＤｓが制限情報保存部２０に保存されているか否かを判別する（ステップ７３）。この場合、該当する（１１２チャンネルに対応する）スキップチャンネルデータＤｓが制限情報保存部２０に保存されていないため、制御部２４は、上記したチャンネル切替え処理を実行する（ステップ７４）。これにより、１１２チャンネルのテレビ映像Ｐｔが表示されると共に、１１２チャンネルの音声が出力される。
【００３９】
一方、選択制限が「有効」な状態に設定された状態で１１１チャンネルの番組を視聴している際に、図１０に示すように、チャンネルダウンキー３３ｂを操作したときには、制御部２４は、上記したチャンネルスキップ処理７０において、チャンネルダウンキー３３ｂの操作によって指定された次のチャンネル（この例では、１１１チャンネルよりもチャンネル番号が１つ小さい１１０チャンネル）を特定し（ステップ７２）、そのチャンネルに対応するスキップチャンネルデータＤｓが制限情報保存部２０に保存されているか否かを判別する（ステップ７３）。この場合、該当する（１１０チャンネルに対応する）スキップチャンネルデータＤｓが制限情報保存部２０に保存されているため、制御部２４は、１１０チャンネルよりもチャンネル番号が１つ小さい１０９チャンネル（次のチャンネル）を特定した後に（ステップ７２）、ステップ７３を実行する。この場合、１０９チャンネルについてのスキップチャンネルデータＤｓが制限情報保存部２０に保存されていないため、制御部２４は、チャンネル切替え処理を実行して（ステップ７４）、チャンネルスキップ処理７０を終了する。これにより、図１０に示すように、１１０チャンネルがスキップされて（飛び越されて）、１０９チャンネルのテレビ映像Ｐｔが表示されると共に、１０９チャンネルの音声が出力される。つまり、１１０チャンネルの選択（切替え）が制限される。
【００４０】
一方、選択制限が「有効」な状態に設定された状態で１１１チャンネルの番組を視聴している際に、１１０チャンネルに対応するダイレクトチャンネル選択キー３２を操作したときには、制御部２４は、映像出力部１５を制御して、選択制限通知画面Ｐｒ２を表示させるための映像信号Ｓｐ２を出力させる。次いで、表示部１６が上記したように動作することにより、図１１に示すように、１１１チャンネルのテレビ映像Ｐｔに代えて、選択制限対象である旨を通知する選択制限通知画面Ｐｒ２が表示される。この場合、選択制限を解除するときには、上記したように暗証番号を入力する。この際に、制御部２４は、暗証番号データＤｎによって示される登録済みの暗証番号と、入力した暗証番号とを比較して、両者が一致したときには、選択制限を解除する。これにより、１１０チャンネルで放送中の番組のテレビ映像Ｐｔが表示される。
【００４１】
このように、このテレビ１によれば、チャンネルの切替え後に所定の操作が行われたときに、制御部２４が視聴制限設定処理４０を実行することにより、所定の操作を行うだけでチャンネル切替えの直前のチャンネルで放送されていた番組を視聴制限対象に設定することができる。このため、設定画面から各種の設定値を入力する構成と比較して、番組を特定するための条件を入力する煩雑な操作を不要とすることができるため、その分、短時間でしかも容易に視聴制限の設定を行うことができる。したがって、例えば、家族でテレビ１を視聴しているときに子供に対して不適切な番組の放送が開始されたとしても、チャンネルを切り替えて所定の操作を行うだけで、子供によるその不適切な番組の視聴を確実に回避することができる。
【００４２】
また、このテレビ１によれば、リモコン３の視聴制限設定キー３４が操作されたときに制御部２４が視聴制限設定処理４０を実行することにより、視聴制限設定キー３４を操作する１つの動作（ワンアクション）で視聴制限対象の設定を行うことができるため、一層短時間でしかも一層容易に視聴制限の設定を行うことができる。
【００４３】
また、このテレビ１によれば、制御部２４が、チャンネルの切替えの直前の時点で放送されていた番組に付与されているレイティングレベル以上のレイティングレベルが付与された全ての番組を視聴制限対象に設定することにより、例えば、子供に対して不適切であると思われる他の番組に対して個別に設定操作を行うことなく、これらの番組についても迅速かつ容易に視聴制限対象に設定することができる。
【００４４】
また、このテレビ１によれば、チャンネルの切替え後に所定の操作が行われたときに、制御部２４が選択制限設定処理６０を実行することにより、所定の操作を行うだけでチャンネル切替えの直前のチャンネルを、その選択自体が制限される選択制限対象に設定することができる。このため、例えば、設定画面から各種の設定値を入力する構成と比較して、チャンネルを指定するための条件を入力する煩雑な操作を不要とすることができるため、その分、短時間でしかも容易に選択制限の設定を行うことができる。したがって、例えば、家族でテレビ１を視聴しているときに子供に対して不適切な番組の放送が開始したとしても、チャンネルを切り替えて所定の操作を行うだけで、子供によるその不適切な番組の視聴を確実に回避することができる。
【００４５】
また、このテレビ１によれば、リモコン３の選択制限設定キー３５が操作されたときに制御部２４が選択制限設定処理６０を実行することにより、選択制限設定キー３５を操作する１つの動作（ワンアクション）で視聴制限対象の設定を行うことができるため、一層短時間でしかも一層容易に視聴制限の設定を行うことができる。
【００４６】
また、このテレビ１によれば、選択制限が有効な状態においてリモコン３のチャンネルアップキー３３ａまたはチャンネルダウンキー３３ｂが操作されたときに、制御部２４がチャンネルスキップ処理７０を実行することにより、例えば、選択制限対象に設定されているチャンネルを選択しようとしたとしても、そのチャンネルを飛び越えて選択可能な他のチャンネルを自動的に選択させることができる。このため、例えば、選択制限対象に設定されているチャンネルを選択したときに、非表示状態となったり、選択制限対象である旨のメッセージが表示されたりして、それらを解消するために別の操作を要求して選択可能な他のチャンネルを選択させる構成と比較して、操作性を向上させることができる。
【００４７】
なお、本発明は、上記の構成に限定されない。例えば、光学エンジンおよびスクリーンパネルを備えて表示部１６を構成した例について上記したが、表示部として、ＣＲＴ、液晶表示パネルおよびプラズマディスプレイ等を採用することもできる。また、スピーカ１８を備えたテレビ１を例に挙げて説明したが、必ずしもスピーカを備えている必要はなく、外部スピーカから音声を出力するタイプのテレビに本発明を適用することもできる。さらに、テレビに限定されず、ＶＴＲ、ＤＶＤ再生装置、ディジタルチューナーおよびパソコン等の放送信号Ｓｂを受信可能な各種の装置（受信装置）に本発明を適用することができる。この場合、放送信号Ｓｂとしては、１１０度ＣＳデジタル放送の放送信号Ｓｂに限定されず、地上アナログ放送、地上デジタル放送、ＢＳ放送等の各種の放送における放送信号Ｓｂを受信対象とすることができる。
【図面の簡単な説明】
【００４８】
【図１】テレビ１の構成を示すブロック図である。
【図２】テレビ１の正面図である。
【図３】ＣＨ１１０からＣＨ１１１への切替えを示す表示画面図である。
【図４】視聴制限設定処理４０のフローチャートである。
【図５】視聴制限処理５０のフローチャートである。
【図６】ＣＨ１１１からＣＨ１１０への切替えを示す表示画面図である。
【図７】視聴制限通知画面Ｐｒ１の表示状態を示す表示画面図である。
【図８】選択制限設定処理６０のフローチャートである。
【図９】チャンネルスキップ処理７０のフローチャートである。
【図１０】ＣＨ１１１からＣＨ１０９への切替えを示す表示画面図である。
【図１１】選択制限通知画面Ｐｒ２の表示画面図である。
【符号の説明】
【００４９】
１  プロジェクションテレビ、３  リモコン、１１  選局処理部、１２  チューナ、２４  制御部、３３ａ  チャンネルアップキー、３３ｂ  チャンネルダウンキー、３４  視聴制限設定キー、３５  選択制限設定キー、４０  視聴制限設定処理、６０  選択制限設定処理、７０  チャンネルスキップ処理、Ｄｒ  レイティングレベルデータ、Ｓｂ  放送信号
【図１】
2007251732.tif 000003
【図２】
2007251732.tif 000004
【図３】
2007251732.tif 000005
【図４】
2007251732.tif 000006
【図５】
2007251732.tif 000007
【図６】
2007251732.tif 000008
【図７】
2007251732.tif 000009
【図８】
2007251732.tif 000010
【図９】
2007251732.tif 000011
【図１０】
2007251732.tif 000012
【図１１】
2007251732.tif 000013